(57)【特許請求の範囲】
【請求項１】
（ａ）ポリエチレンイミン及びそのアルコキシル化物から選ばれる１種以上のポリマー  ０．１〜１０質量％、
（ｂ）炭素数５〜１８のアルキル基を有するスルホコハク酸アルキルエステル及びこの塩から選ばれる１種以上の界面活性剤  ０．１〜３０質量％、並びに
（ｃ）下記一般式（ｃ１）で表される化合物  １〜５０質量％を含有し、
（ａ）／（ｂ）の質量比が０．０１〜５である、
硬質表面用洗浄剤組成物。
Ｒ1c−Ｏ−〔（ＰＯ）m／（ＥＯ）n〕−ＳＯ3Ｍ          （ｃ１）
〔式中、Ｒ1cは、炭素数８〜１８のアルキル基であり、ＰＯとＥＯはそれぞれプロピレンオキシ基とエチレンオキシ基であり、ｍ、ｎはＰＯ又はＥＯの平均付加モル数を示し、ｍが０以上、１未満であり、ｎが０〜５である。ここで、ｍとｎが共に０の場合には、Ｒ1cの少なくとも一部は分岐鎖構造を有するアルキル基である。Ｍは陽イオンである。“／”は、ＰＯとＥＯの付加形態がブロックでもランダムでもよいことを意味する。〕
【請求項２】
（ａ）が、重量平均分子量が２００〜２０，０００のポリマーである、請求項１記載の硬質表面用洗浄剤組成物。
【請求項３】
（ａ）のアルコキシル化物が、ポリエチレンイミンのエトキシル化物、ポリエチレンイミンのプロポキシル化物、又はポリエチレンイミンのエトキシル−プロポキシル化物である、請求項１又は２記載の硬質表面用洗浄剤組成物。
【請求項４】
（ｂ）の前記炭素数５〜１８のアルキル基が、分岐構造を有するアルキル基である、請求項１〜３の何れか１項に記載の硬質表面用洗浄剤組成物。
【請求項５】
（ｂ）の前記炭素数５〜１８のアルキル基が、２−エチルヘキシル基である請求項１〜４の何れか１項に記載の硬質表面用洗浄剤組成物。
【請求項６】
（ｃ）が、一般式（ｃ１）中のｍが０．２〜０．８、ｎが０の化合物である請求項１〜５のいずれか１項に記載の硬質表面用洗浄剤組成物。
【請求項７】
手洗い食器洗浄用洗浄剤組成物である、請求項１〜６の何れか１項に記載の硬質表面用洗浄剤組成物。
【発明の詳細な説明】
【技術分野】
【０００１】
本発明は、硬質表面洗浄用洗浄剤組成物に関する。
【背景技術】
【０００２】
手洗い食器洗浄用洗浄剤組成物等の硬質表面用洗浄剤組成物は、洗浄時の豊かな泡立ちと洗浄時の泡の持続性が求められる。この起泡性／泡持続性は洗浄持続性と相関がある非常に重要な物性であり、これまで起泡性／泡持続性に優れる洗浄剤の開発が主に行われてきた。一方、近年、環境負荷軽減、水資源有効利用の目的から、洗浄に用いる水の量を低減することが好ましく、手洗い食器洗浄用洗浄剤で洗浄後のすすぎ水は極力低減することが望まれる。
【０００３】
起泡性／泡持続性を高めるためには、一般的には水溶性高分子の添加が効果的であることが知られている。例えば、特許文献１には、正電荷特性、負電荷特性または双性イオン特性を保持する能力を備える高分子材料を用い、泡量が多く、また泡の持続性が高い液体手洗い洗剤組成物が開示されている。特許文献２には高分子系界面活性剤を含む、泡の安定性に優れた液体洗剤組成物が開示されている。特許文献３には界面活性剤とポリエチレンイミン系のポリマーを用い、泡立ちの持続性に優れた液体洗剤組成物が開示されている。
【先行技術文献】
【特許文献】
【０００４】
【特許文献１】特表２００１−５２４５８７公報
【特許文献２】特開昭６２−１８１４００公報
【特許文献３】特表２００９−５３７６９２公報
【発明の概要】
【発明が解決しようとする課題】
【０００５】
上記の通り、手洗い食器洗浄用洗浄剤組成物等の硬質表面用洗浄剤組成物には、洗浄時には豊かな泡立ちと泡の持続性を示す一方で、すすぎ時には泡が消えやすく、速やかにすすぎが完了することが求められる。しかしながら、特許文献１、２、３に記載の液体洗剤のすすぎ性は十分ではなく、濯ぎ時になかなか泡が消えにくく、濯ぎに多くの水を使用しなければならないという課題がある。
【０００６】
本発明の課題は、洗浄時には豊かな泡立ちと洗浄時の泡の持続性を示すが、すすぎ時には瞬時に泡が消え、速やかにすすぎが完了する硬質表面用洗浄剤組成物を提供することである。
【課題を解決するための手段】
【０００７】
本発明は、
（ａ）ポリエチレンイミン及びそのアルコキシル化物から選ばれる１種以上のポリマー〔以下、（ａ）成分という〕  ０．１〜１０質量％、
（ｂ）炭素数５〜１８のアルキル基を有するスルホコハク酸アルキルエステル及びこの塩から選ばれる１種以上の界面活性剤〔以下、（ｂ）成分という〕  ０．１〜３０質量％、並びに
（ｃ）下記一般式（ｃ１）で表される化合物〔以下、（ｃ）成分という〕  １〜５０質量％を含有し、
（ａ）／（ｂ）の質量比が０．０１〜５である、
硬質表面用洗浄剤組成物に関する。
Ｒ1c−Ｏ−〔（ＰＯ）m／（ＥＯ）n〕−ＳＯ3Ｍ          （ｃ１）
〔式中、Ｒ1cは、炭素数８〜１８のアルキル基であり、ＰＯとＥＯはそれぞれプロピレンオキシ基とエチレンオキシ基であり、ｍ、ｎはＰＯ又はＥＯの平均付加モル数を示し、ｍが０以上、１未満であり、ｎが０〜５である。ここで、ｍとｎが共に０の場合には、Ｒ1cの少なくとも一部は分岐鎖構造を有するアルキル基である。Ｍは陽イオンである。“／”は、ＰＯとＥＯの付加形態がブロックでもランダムでもよいことを意味する。〕
【発明の効果】
【０００８】
本発明によれば、洗浄時には豊かな泡立ちと洗浄時の泡の持続性を示すが、すすぎ時には瞬時に泡が消え、速やかにすすぎが完了する食器等の硬質表面用洗浄剤組成物が提供される。
【発明を実施するための形態】
【０００９】
＜（ａ）成分＞
本発明で用いられる（ａ）成分は、ポリエチレンイミン及びそのアルコキシル化物から選ばれる１種以上のポリマーである。
【００１０】
ポリエチレンイミンとしては、構成単位であるエチレンイミン−ＣＨ2ＣＨ2ＮＨ−から構成されるポリマーを挙げることができる。このポリエチレンイミン主鎖は、窒素上の水素が、構成単位であるエチレンイミンのもう一つの鎖によって置換される場合、分岐することがある。即ち、前記ポリエチレンイミンは、完全な線状構造を有するものではなく、１級、２級及び３級アミノ窒素を含む分岐鎖構造を有している。また、前記ポリエチレンイミンとしては、活性水素を１分子中に１０〜２００個、好ましくは１２〜１００個有しているものが好ましい。ここで、ポリエチレンイミンの重量平均分子量は、好ましくは２００〜２０，０００、より好ましくは２００〜６，０００であり、より好ましくは２５０〜３，０００、更に好ましくは３００〜１，５００である。また、ポリエチレンイミンの重量平均分子量は、ポリエチレングリコールを標準物質とし、ゲルパーミエーションクロマトグラフィーにより測定されたものである。
【００１１】
また、ポリエチレンイミンのアルコキシル化物としては、特に限定されるものではないが、エチレンイミン単位１個に対して好ましくは平均１個〜３０個、より好ましくは平均５個〜２５個、更に好ましくは平均１０個〜２０個のアルコキシル部分を有する（ポリ）アルコキシル化ポリエチレンイミンポリマーを挙げることができる。ここで、アルコキシル化物の具体例としては、例えば、ポリエチレンイミンのエトキシル化物、ポリエチレンイミンのプロポキシル化物、又はポリエチレンイミンのエトキシル−プロポキシル化物を挙げることができるが、ポリエチレンイミンのエトキシル化物又はポリエチレンイミンのエトキシル−プロポキシル化物が好ましく、洗浄時の起泡性及び濯ぎ時の泡切れ性の点で、ポリエチレンイミンのエトキシル化物がより好ましい。ここで、ポリエチレンイミンのアルコキシル化物の重量平均分子量は、好ましくは２００〜２０，０００、より好ましくは１，０００〜２０，０００であり、より好ましくは２，０００〜１０，０００、更に好ましくは３，０００〜７，０００である。また、ポリエチレンイミンのアルコキシル化物の重量平均分子量は、ポリエチレングリコールを標準物質とし、ゲルパーミエーションクロマトグラフィーにより測定されたものである。
【００１２】
ポリエチレンイミンのアルコキシル化物は、前記ポリエチレンイミンへのアルキレンオキシドの付加反応により得ることができ、例えば出発物質であるポリエチレンイミンに、水酸化ナトリウム、水酸化カリウム、ナトリウムメチラートなどの塩基性触媒の存在下、１００℃〜１８０℃でエチレンオキシド等のアルキレンオキシドを添加して反応させる方法などの通常の方法によって行うことができる。
【００１３】
＜（ｂ）成分＞
本発明で用いられる（ｂ）成分は、炭素数５〜１８のアルキル基を有するスルホコハク酸アルキルエステル及びこの塩から選ばれる１種以上の界面活性剤であり、好ましくはアルキル基の炭素数が５〜１８のスルホコハク酸モノアルキルエステル、アルキル基の炭素数がそれぞれ５〜１８のスルホコハク酸ジアルキルエステル及びこれらの塩から選ばれる１種以上の界面活性剤であり、具体的には下記一般式（ｂ１）の化合物が好適である。
【００１４】
【化１】
0005700553.tif 000002
【００１５】
〔式中、Ｒ1b、Ｒ2bは、それぞれ、炭素数５〜１８、好ましくは５〜１４、より好ましくは５〜１２のアルキル基又は水素原子であり、Ｒ1b、Ｒ2bの少なくとも一方は炭素数５〜１８のアルキル基である。即ち、Ｒ1bとＲ2bが同時に水素原子である場合を除く。Ａ1、Ａ2はそれぞれ独立に炭素数２〜４、好ましくは２〜３のアルキレン基、ｘ、ｙは平均付加モル数でありそれぞれ独立に０〜６である。Ｍ1は陽イオン、好ましくは無機又は有機の陽イオンである。〕
【００１６】
（ｂ）成分が、スルホコハク酸ジアルキルエステル又はその塩である場合、一般式（ｂ１）中のＲ1b、Ｒ2bは、同一あるいは異なっていても良く、洗浄時の起泡性及びすすぎ時の泡消え性の観点から炭素数５〜１８、好ましくは５〜１４、より好ましくは５〜１２のアルキル基であり、好ましくは分岐構造を有するアルキル基である。５以上の炭素数で良好なすすぎ時の泡消え性が得られ、１８以下の炭素数で良好な洗浄時の起泡性が得られる。また、（ｂ）成分が、スルホコハク酸モノアルキルエステル又はその塩である場合、一般式（ｂ１）中のＲ1b、Ｒ2bの一方は洗浄時の起泡性及びすすぎ時の泡消え性の観点から炭素数５〜１８、好ましくは５〜１４、より好ましくは５〜１２のアルキル基であり、他方は水素原子である。Ｒ1b、Ｒ2bは洗浄時の起泡性及びすすぎ時の泡消え性の観点から、それぞれ、炭素数５〜１８、好ましくは５〜１４、より好ましくは５〜１２のアルキル基であること、すなわち、（ｂ）成分が、スルホコハク酸ジアルキルエステル又はその塩であることが好ましい。よって、（ｂ）成分は、アルキル基の炭素数がそれぞれ５〜１８のスルホコハク酸ジアルキルエステル及びその塩から選ばれる１種以上の界面活性剤が好ましい。Ａ1、Ａ2は洗浄時の起泡性及びすすぎ時の泡消え性の観点からそれぞれ独立に炭素数２〜４、好ましくは２〜３のアルキレン基である。ｘ、ｙは平均付加モル数であり、洗浄時の起泡性及びすすぎ時の泡消え性の観点から、それぞれ０〜６であり、好ましくは０〜２であり、更に好ましくは０〜１であり、特に好ましくは０である。
【００１７】
一般式（ｂ１）中、Ｒ1a、Ｒ2aは、それぞれ、具体的にはヘキシル基、オクチル基、ノニル基、デシル基、ドデシル基、トリデシル基、２−エチルヘキシル基、ｎ−オクチル基、ｓｅｃ−オクチル基、イソペンチル基、イソノニル基、イソデシル基、シクロヘキシル基であり、特にｎ−オクチル基、ｓｅｃ−オクチル基、デシル基、イソデシル基、及び２−エチルヘキシル基から選ばれる基であることが好適であり、２−エチルヘキシル基が最も好適である。Ｍ1としては、水素イオン、ナトリウムイオン、カリウムイオン、マグネシウムイオン、アンモニウムイオンから選ばれる無機陽イオン、モノエタノールアンモニウムイオン、ジエタノールアンモニウムイオン、トリエタノールアンモニウムイオンから選ばれる有機陽イオンが挙げられるが、好ましくはナトリウムイオン、カリウムイオン、マグネシウムイオン、及びアンモニウムイオンから選ばれる陽イオンである。
【００１８】
（ｂ）成分が、スルホコハク酸ジアルキルエステル又はその塩である場合、Ｒ1b、Ｒ2bが同一の化合物の調製方法としては、特に限定されるものではないが、例えば米国特許明細書第２，０２８，０９１号公報に記載の方法を参考にして製造することができ、また、Ｒ1b、Ｒ2bが異なる非対称の化合物の調製方法としては、例えば特開昭５８−２４５５５号公報を参考にして製造することができる。市販の化合物を用いる場合には、花王（株）製ペレックスＯＴ−Ｐ（Ｒ1b、Ｒ2bが共に２−エチルヘキシル基である化合物）、同ペレックスＴＲ（Ｒ1b、Ｒ2bが共にトリデシル基である化合物）、ＢＡＳＦ社製ＬｕｅｎｓｉｔＡ−ＢＯ（Ｒ1b、Ｒ2bが共に２−エチルヘキシル基である化合物）、三井サイテック株式会社から入手可能であったエアロゾルＡＹ−１００（Ｒ1b、Ｒ2bが共にアミル基である化合物）、同エアロゾルＡ−１９６（Ｒ1b、Ｒ2bが共にシクロヘキシル基である化合物）などを用いることができる。
【００１９】
＜（ｃ）成分＞
（ｃ）成分は、下記一般式（ｃ１）の化合物である。
Ｒ1c−Ｏ−〔（ＰＯ）m／（ＥＯ）n〕−ＳＯ3Ｍ          （ｃ１）
〔式中、Ｒ1cは、炭素数８〜１８のアルキル基であり、ＰＯとＥＯはそれぞれプロピレンオキシ基とエチレンオキシ基であり、ｍ、ｎはＰＯ又はＥＯの平均付加モル数を示し、ｍが０以上、１未満であり、ｎが０〜５である。ここで、ｍとｎが共に０の場合には、Ｒ1cの少なくとも一部は分岐鎖構造を有するアルキル基である。Ｍは陽イオンである。“／”は、ＰＯとＥＯの付加形態がブロックでもランダムでもよいことを意味する。〕
【００２０】
一般式（ｃ１）中、Ｒ1cの炭素数は１０〜１６が好ましく、１２〜１４がより好ましい。ｍは０．１〜０．９が好ましく、０．２〜０．８がより好ましく、０．３〜０．８が更により好ましく、０．５〜０．７が特に好ましい。ｎは０〜３が好ましく、０以上、１未満がより好ましく、０が特に好ましい。ｍとｎの組合せとしては、ｍが０．１〜０．９、且つ、ｎが０が好ましく、ｍが０．３〜０．８、且つ、ｎが０がより好ましく、ｍが０．５〜０．７、且つ、ｎが０がより好ましい。
【００２１】
一般式（ｃ１）において、ｍとｎが同時に０の場合には、Ｒ1cの少なくとも一部は、分岐鎖構造を有するアルキル基であり、その場合、炭素数は８〜１８、好ましくは１０〜１６、より好ましくは１２〜１４である。つまり、一般式（ｃ１）において、ｍとｎが同時に０の場合には、（ｃ）成分は、Ｒ1cが分岐鎖構造を有する化合物、又はＲ1cが分岐鎖構造を有する化合物及びＲ1cが直鎖構造を有する化合物の混合である。
【００２２】
（ｃ）成分として、一般式（ｃ１）中のＲ1cが分岐鎖構造を有するアルキル基（分岐鎖アルキル基）である化合物を含む場合、（ｃ）成分の分岐率〔一般式（ｃ１）の化合物の総モル数に対する分岐鎖アルキル基を有する化合物の総モル数の割合〕は、好ましくは１５〜１００モル％、より好ましくは４０〜１００モル％、特に好ましくは７０〜１００モル％である。
【００２３】
一般式（ｃ１）中のＭはナトリウムイオン、アンモニウムイオン、カリウムイオン、マグネシウムイオンから選ばれる無機陽イオン、モノエタノールアミン、ジエタノールアミン、トリエタノールアミン、モルホリンの酸塩から選ばれる有機陽イオンであるが、好ましくはナトリウムイオン、アンモニウムイオン、カリウムイオン、マグネシウムイオンである。
【００２４】
一般式（ｃ１）の化合物の調製方法としては、特に限定されるものではないが、例えばＲ1c−ＯＨで示される脂肪アルコールに目的に応じてエチレンオキシド及び／又はプロピレンオキシドを所定量付加させた後、三酸化硫黄（液体又は気体）、三酸化硫黄含有ガス、発煙硫酸、クロルスルホン酸から選ばれる硫酸化剤で硫酸エステル化し、所定のアルカリ剤で中和して製造される。エチレンオキシド（以下、ＥＯと表記する）及び／又はプロピレンオキシド（以下、ＰＯと表記する）の付加反応は触媒が必要でありＮａＯＨ、ＫＯＨなどの水酸化アルカリを用いることができる。また、特開平８−３２３２００号公報に記載の酸化マグネシウムを主成分とする触媒を用いることができ、前者は付加モル数分布が比較的広いポリオキシエチレンアルキルエーテルを得ることができ、後者は比較的狭い付加モル数分布を有する化合物を得ることができる。また、特開平１０−１５８３８４号公報に開示されているようにアルカリ触媒と金属酸化物触媒を併用することにより付加モル数分布を制御することも可能である。
【００２５】
一般式（ｃ１）においてｎが０の場合に好適であるＲ1cが分岐構造を有するアルキル基を含む化合物を得る場合には、原料であるＲ1c−ＯＨで示されるアルコールとして、炭素数８〜１４の１−アルケンをヒドロホルミル化して得られたアルコール（ＯＨ基に対してβ位にメチル基が分岐したアルキル基が１５〜７０モル％含まれる）、炭素数４〜８のアルデヒドを縮合させた後、還元して得られるゲルベ型アルコール（ＯＨ基に対してβ位に炭素数３〜６のアルキル基が分岐した構造のものが１００モル％含まれる）、イソブテンの２量体をヒドロホルミル化して得られる３，５，５−トリメチルヘキサノール、イソブテンの３量体をヒドロホルミル化して得られる多分岐トリデカノール（分岐率は１００モル％である）、石油、石炭を原料とした合成アルコール（分岐率が約２０〜１００モル％のアルキル基である）を挙げることができる。
【００２６】
（ｃ）成分としては、（ｃ−Ｉ）一般式（ｃ１）中のｍが０．１〜０．９、且つ、ｎが０である化合物〔他の条件は一般式（ｃ１）と同じ〕、及び（ｃ−II）一般式（ｃ１）中のｍとｎが共に０である化合物〔他の条件は一般式（ｃ１）と同じ〕から選ばれる１種以上の化合物が好ましく、中でも（ｃ−Ｉ）の化合物がより好ましい。（ｃ−Ｉ）の化合物では、Ｒ1cは直鎖のアルキル基、又は直鎖アルキル基と分岐鎖アルキル基の混合が好ましい。ここで、（ｃ−Ｉ）の化合物においては、ｍは０．１〜０．８が好ましく、０．２〜０．８がより好ましく、０．４〜０．７が更により好ましく、またＲ1cのアルキル基の炭素数は８〜１８が好ましく、１０〜１６がより好ましく、１２〜１４が更により好ましい。一方、（ｃ−II）の化合物においては、Ｒ1cのアルキル基の炭素数は８〜１８が好ましく、１０〜１６がより好ましく、１２〜１４が更により好ましい。（ｃ−II）の化合物は、分岐率が好ましくは１５〜１００モル％、より好ましくは４０〜１００モル％、特に好ましくは７０〜１００モル％である。なお、（ｃ−Ｉ）の化合物もこの範囲の分岐率であってもよい。
【００２７】
＜硬質表面用洗浄剤組成物＞
本発明の硬質表面用洗浄剤組成物は、起泡力の観点から、（ａ）成分を組成物中に０．１〜１０質量％、好ましくは０．３〜６質量％、特に好ましくは０．５〜３質量％含有する。また、泡消え性の観点から、（ｂ）成分を組成物中に１〜３０質量％、好ましくは３〜２０質量％、特に好ましくは５〜１０質量％含有する。また、起泡力及び泡消え性の観点から、（ｃ）成分を組成物中に１〜５０質量％、好ましくは５〜５０質量％、より好ましくは１０〜３０質量％、特に好ましくは１５〜２５質量％含有する。
【００２８】
また（ａ）成分／（ｂ）成分の質量比は、起泡力と泡消え性の観点から、０．０１〜５、好ましくは０．０２〜３、より好ましくは０．０３〜１である。
【００２９】
本発明においては洗浄時及びすすぎ時の泡の挙動が非常に重要である。手洗い食器洗浄用洗浄剤組成物等の硬質表面用洗浄剤組成物の一般的な研究においては、洗浄時の起泡性／泡持続性を考慮して増泡効果のある界面活性剤を併用することが行われているが、本発明においてはこのような増泡効果のある界面活性剤はすすぎ時の泡消え性に大きな影響を及ぼすため、使用する場合注意が必要である。本発明では特に（ｄ）成分として、アミンオキシド型界面活性剤、カルボベタイン型界面活性剤及びアルカノールアミド型界面活性剤から選ばれる界面活性剤の取り扱いに注意を要する。
【００３０】
アミンオキシド型界面活性剤としてはＮ−アルカノイルアミノプロピル−Ｎ，Ｎ−ジメチルアミンオキシド（アルカノイルとしてはラウロイル又はミリスチロイル）、Ｎ−アルキル−Ｎ，Ｎ−ジメチルアミンオキシド（アルキル基としてはラウリル基又はミリスチル基）を挙げることができる。また、カルボベタイン型界面活性剤としてはＮ−アルカノイルアミノプロピル−Ｎ，Ｎ−ジメチル−Ｎ−カルボキシメチルアンモニウムベタイン、Ｎ−アルカノイルアミノプロピル−Ｎ，Ｎ−ジメチル−Ｎ−（２−ヒドロキシスルホプロピル）アンモニウムベタイン、Ｎ−アルキル−Ｎ，Ｎ−ジメチル−Ｎ−カルボキシメチルアンモニウムベタイン、Ｎ−アルキル−Ｎ，Ｎ−ジメチル−Ｎ−（２−ヒドロキシスルホプロピル）アンモニウムベタインを挙げることができる。さらに、アルカノールアミド型界面活性剤としてはモノエタノールアミン、ジエタノールアミン、メチルモノエタノールアミンなどのアルカノールアミンとラウリン酸、ミリスチン酸などの脂肪酸とのアミド化物を挙げることができる。
【００３１】
本発明においては泡の挙動が非常に重要であり、組成物に増泡効果を与える（ｄ）成分の使用には注意を要し、特に組成物中の全界面活性剤の含有量に対する（ｄ）成分の含有量が好ましくは５質量％以下、より好ましくは３質量％以下、更に好ましくは２質量％以下、より更に好ましくは１質量％以下であり、より更に好ましくは０．５質量％以下、最も好ましくは含有しないことである。
【００３２】
本発明の硬質表面用洗浄剤組成物は、すすぎ時には瞬時にぬるつきがなくなり、少量の水ですすぎを完了できるという観点から、（ｅ）成分として、アルキル基の炭素数が６から１８のアルキルグリセリルエーテルを含有することが好ましい。具体的には下記一般式（ｅ１）の化合物が好適である。
Ｒ1e−Ｏ−（Ｇｌｙ）r−Ｈ            （ｅ１）
〔式中、Ｒ1eは炭素数６〜１８のアルキル基を示し、Ｇｌｙはグリセリンから２つの水素原子を除いた残基を示し、ｒは平均付加モル数で有り、１〜４の数を示す。〕
【００３３】
一般式（ｅ１）において、Ｒ1eは炭素数６〜１８、好ましくは７〜１２、より好ましくは８〜１０のアルキル基である。本発明ではすすぎ時のぬるつき低減の観点から、分岐鎖構造を有する化合物が好適であり、Ｒ1eは分岐鎖構造を有するアルキル基が好ましく、具体例として、２−エチルヘキシル基、ｓｅｃ−オクチル基、イソノニル基及びイソデシル基から選ばれる基がより好ましく、２−エチルヘキシル基又はイソデシル基が更に好ましく、２−エチルヘキシル基が特に好ましい。一般式（ｅ１）において、ｒは１〜３が好ましく、１〜２がより好ましく、ｒ＝１の化合物が最も好ましい。特に好ましい化合物は、Ｒ1eが２−エチルヘキシル基で、かつ、ｒ＝１の化合物である。
【００３４】
Ｇｌｙで示される構造はグリセリンの１位と３位のヒドロキシ基が結合している−ＣＨ2ＣＨ（ＯＨ）ＣＨ2−で示される構造か、又はグリセリンの１位と２位のヒドロキシ基が結合している−ＣＨ（ＣＨ2ＯＨ）ＣＨ2−で示される構造であり、触媒や反応条件によって異なる。
【００３５】
一般式（ｅ１）の化合物を得るには、例えば炭素数６〜１０のアルコールとしてＲ1e−ＯＨで示されるアルキルアルコールを用い、エピハロヒドリンやグリシドールなどのエポキシ化合物とを、ＢＦ3などの酸触媒、あるいはアルミニウム触媒を用いて反応させて製造する方法を用いることができる。
【００３６】
例えば、２−エチルヘキサノールを用いた場合、得られる２−エチルヘキシルモノグリセリルエーテルは、特開２００１−４９２９１号公報に記載されているように複数の生成物を含み得る混合物である。
【００３７】
（ｅ）成分の含有量は洗浄性能の観点から、組成物中、０．５〜２０質量％、更に１〜１５質量％、より更に２〜１０質量％が好ましい。
【００３８】
本発明の硬質表面用洗浄剤組成物は、貯蔵安定性の改善や粘度調節の目的で、溶剤〔以下、（ｆ）成分という〕を含有することができる。溶剤の具体的例としては、エタノール、イソプロピルアルコール、エチレングリコール、プロピレングリコール、ジエチレングリコール、ジプロピレングリコール、グリセリン、イソプレングリコール、プロピレングリコールモノメチルエーテル、プロピレングリコールモノエチルエーテル、３−メチル−３−メトキシブタノール、フェノキシエタノール、フェニルグリコール、フェノキシイソプロパノール、ブチルジグリコール（ジエチレングリコールモノブチルエーテル）、ジブチレンジグリコール、ベンジルアルコールから選ばれる水溶性有機溶媒が好ましい。なかでも、ブチルジグリコール、エタノール、及びプロピレングリコールから選ばれる１種以上の水溶性有機溶剤が好ましく、エタノール、及びプロピレングリコールから選ばれる１種以上の水溶性有機溶剤が更に好ましい。ここで、水溶性有機溶剤とは、オクタノール／水分配係数（ＬｏｇＰｏｗ）が３．５以下の溶剤を指すものとする。（ｆ）成分の含有量は、組成物中に好ましくは１〜３０質量％、より好ましくは２〜２０質量％、特に好ましくは２〜１０質量％である。
【００３９】
本発明の硬質表面用洗浄剤組成物は、貯蔵安定性を向上させる目的でハイドロトロープ剤〔以下、（ｇ）成分という〕を含有することが好ましい。ハイドロトロープ剤としては、トルエンスルホン酸、キシレンスルホン酸、クメンスルホン酸又はこれらのナトリウム、カリウムあるいはマグネシウム塩が良好であり、特にｐ−トルエンスルホン酸又はその塩が良好である。（ｇ）成分の含有量は、組成物中に好ましくは０．２〜１０質量％、より好ましくは０．５〜８質量％、特に好ましくは１〜７質量％である。
【００４０】
本発明では、硬質表面用洗浄剤組成物のゲル化防止のために重合体〔以下、（ｈ）成分という〕、例えば特表平１１−５１３０６７号公報に記載されているゲル化防止重合体を使用してもよい。とりわけポリアルキレングリコールを配合することが粘度調節及び貯蔵安定性の点から好ましい。ゲル化防止のための重合体としてのポリアルキレングリコールの具体例としては、ポリエチレングリコールを標準としたときのゲルパーミエーションクロマトグラフィーによって求められた重量平均分子量が２００〜３，０００のポリプロピレングリコール、及び重量平均分子量が２００〜３，０００のポリエチレングリコールを挙げることができる。（ｈ）成分の含有量は、組成物中に好ましくは０．０５〜３質量％、より好ましくは０．１〜２質量％、特に好ましくは０．２〜１．５質量％である。
【００４１】
本発明の硬質表面用洗浄剤組成物は、上記成分を水に溶解／分散／乳化させた液体組成物の形態が好ましく、水溶液がより好ましい。水としては脱イオン水や蒸留水、或いは次亜塩素酸を０．５〜１０ｐｐｍ程度溶解させた次亜塩素酸滅菌水などを使用することができる。
【００４２】
本発明の硬質表面用洗浄剤組成物の２５℃におけるｐＨは、好ましくは４〜１０、より好ましくは５〜９が好適であり、このようなｐＨに調整は硫酸、塩酸、リン酸、から選ばれる無機酸、クエン酸、りんご酸、マレイン酸、フマール酸、コハク酸から選ばれる有機酸、水酸化ナトリウム、水酸化カリウム、水酸化マグネシウム、炭酸ナトリウム、炭酸カリウムなどの無機アルカリ剤を用いて行われる。本発明では、組成物に緩衝能を持たせることが起泡性／泡持続性の点から好ましく、上記有機酸、好ましくはクエン酸、及び無機アルカリ剤を併用することが好適である。有機酸はナトリウム塩やカリウム塩の形態で組成物に配合しても差し支えないが、含有量は酸の形態として組成物中に好ましくは０〜７質量％、より好ましくは０．５〜５質量％、特に好ましくは０．５〜３質量％である。
【００４３】
本発明の硬質表面用洗浄剤組成物は、（ｉ）成分として、炭素数１０〜１８の脂肪酸又はその塩を含有することができる。（ｉ）成分としては、具体的にはデカン酸、ラウリン酸、ミリスチン酸、パルミチン酸、パルミトレイン酸、ステアリン酸、オレイン酸、リノール酸、リノレイン酸及びこれらの塩を挙げることができる。また、椰子組成脂肪酸などの混合脂肪酸を用いることも可能である。脂肪酸の塩としては、ナトリウム塩、アンモニウム塩、カリウム塩、マグネシウム塩から選ばれる無機塩、モノエタノールアミン塩、ジエタノールアミン塩、トリエタノールアミン塩、モルホリン塩などの有機アミン塩であるが、好ましくはナトリウム塩、アンモニウム塩、カリウム塩、マグネシウム塩、より好ましくはナトリウム塩、アンモニウム塩、カリウム塩が挙げられる。（ｉ）成分としては、より好ましくはラウリン酸、ミリスチン酸、パルミチン酸又はこれらの塩であり、より更に好ましくはラウリン酸、ミリスチン酸又はこれらの塩であり、最も好ましくはミリスチン酸又はその塩である。従って、起泡力及び泡消え性の観点からは（ｉ）成分がミリスチン酸又はその塩を含むことが好ましく、（ｉ）成分中、ミリスチン酸又はその塩の割合は３０〜１００質量％、更に５０〜１００質量％、より更に８０〜１００質量％が好ましい。（ｉ）成分の含有量は、組成物中に好ましくは０．１〜１０質量％、より好ましくは０．１〜６質量％、特に好ましくは０．５〜６質量％である。
【００４４】
本発明の硬質表面用洗浄剤組成物の２０℃における粘度は、好ましくは１０〜３００ｍＰａ・ｓ、より好ましくは２０〜２００ｍＰａ・ｓであり、このような粘度は（ｆ）成分、（ｇ）成分、（ｈ）成分などで調整することができる。
【００４５】
本発明の硬質表面用洗浄剤組成物には香料、染料、顔料などの通常用いられる成分を含有することができる。
【００４６】
本発明の硬質表面用洗浄剤組成物は、手洗い食器洗浄用洗浄剤組成物として好適である。すなわち、本発明の組成物は、食器の手洗い洗浄に用いられる。手洗い洗浄に用いられる洗浄液は、本発明の手洗い食器洗浄用洗浄剤組成物を用いて得られたものであり、組成物の原液又は水を含む希釈液が用いられる。具体的な手洗い洗浄方法としては、例えば、水を含んだスポンジなどの可撓性材料に本発明の組成物を付着させ洗浄液を保持させて、手で数回揉みながら泡立てて、食器をこすり洗いする。可撓性材料が保持する洗浄液中の（ａ）成分、（ｂ）成分、及び（ｃ）成分の合計濃度は、好ましくは１，０００〜３０，０００ｐｐｍ、より好ましくは１，０００〜２０，０００ｐｐｍ、更に好ましくは２，０００〜１０，０００ｐｐｍであることが、高い起泡性と泡持続性の点から好ましい。洗浄終了後には水を加えてすすぎを行うが、例えば、本発明では使用した組成物１質量部に対してすすぎ水３．３〜１３３質量部で泡が消え、すすぎを速やかに完了することができる。このすすぎ水の量は、従来の手洗い食器洗浄用洗浄剤組成物を用いた場合の２／３〜１／１０である。
【実施例】
【００４７】
下記の配合成分を用いて表１の手洗い食器洗浄用洗浄剤組成物を調製した。各手洗い食器洗浄用洗浄剤組成物の洗浄時の起泡力、およびすすぎ時の泡消え性を下記の方法にて評価した。結果を表１に示す。
【００４８】
＜配合成分＞
・ａ−１：ポリエチレンイミン（東亜合成（株）製、重量平均分子量３００）を用い、エチレンオキシドを付加させた化合物（ポリエチレンイミンのエチレン部分のプロトン：エチレンオキシドのエチレン部分のプロトン＝１：１７、エチレンオキシド付加後の重量平均分子量約４５００）
・ａ−２：ポリエチレンイミン（和光純薬工業（株）、試薬、平均分子量１８００）
・ｂ−１：ジ（２−エチルヘキシル）スルホコハク酸ナトリウム（東京化成（株）、試薬）
・ｃ−１；アルキル鎖が炭素数１２の天然アルコール１モルに、ＰＯを０．６モル付加したのち、三酸化イオウにより硫酸化し、アンモニアで中和した化合物。
・ｃ−２：直鎖／分岐鎖混合アルコール〔サソール社製Ｌｉａｌ １２３（炭素数１２のアルキル基及び炭素数１３のアルキル基を含有し、分岐率は６０モル％）〕を、三酸化イオウで硫酸化し、水酸化ナトリウムで中和した化合物（平均分子量：２９５）
・ｃ−３：直鎖／分岐鎖混合アルコール〔シェル社製Ｄｏｂａｎｏｌ２３（炭素数１２のアルキル基及び炭素数１３のアルキル基を含有し、分岐率は４０モル％）〕を、三酸化イオウで硫酸化し、水酸化ナトリウムで中和した化合物（平均分子量：２９５）
・ｃ−４：直鎖／分岐鎖混合アルコール〔サソール社製Ｉｓａｌｃｈｅｍ１２３（炭素数１２のアルキル基及び炭素数１３のアルキル基を含有し、分岐率は９４モル％）〕にＰＯを０．６モル付加したのち、三酸化イオウで硫酸化し、水酸化ナトリウムで中和した化合物（平均分子量：２９５）
【００４９】
＜洗浄時の起泡力評価＞
市販のスポンジ（キクロン社製、材質：ポリウレタン／ナイロン製、縦１１．５ｃｍ、横７．５ｃｍ、高さ３．５ｃｍ）を２５℃の水道水で軽く２０回揉みながら水洗いし、水道水が１０ｇ含浸している状態までスポンジを固く絞った。そのスポンジに組成物１ｇを量り取ったのち、２５℃の水道水２０ｍＬをさらにスポンジに含浸させた。この状態からスポンジを５回揉み、そのときに泡だった泡を全て５００ｍＬのガラス製メスシリンダーに回収してそのときの泡量を目盛りから読み取った。この値を組成物の起泡力とした。
【００５０】
＜すすぎ時の泡消え性評価＞
組成物を３．５°ＤＨ硬水で３．２％に希釈し、ポンプフォーマー〔花王（株）製、キュキュットクエン酸効果泡タイプ（２００７年発売）にて使用されていたもの〕により、３ｇの泡を５００ｍｌのガラス製メスシリンダーに作製し、メスシリンダーの目盛りからその容量を記録した（初期の泡量）。次に、手製のジョウロを通して３．５°ＤＨ硬水を泡に１００ｍｌ添加し、その後１分経過毎に硬水１００ｍｌ添加するという操作を計３回実施し（１００ｍｌの硬水を添加するのは計４回で、合計添加量は４００ｍｌとなる）、最後に硬水を添加してから３０秒後の泡量を測定した。手製のジョウロは、２５０ｍｌのポリプロピレン製広口びん（アズワン製：アイボーイ広口びん）の底部約３分の１を除去し、フタを外した状態の開口部に、均一に１３個の直径約２ｍｍの穴を開けた薄いプラスチック製の多孔板を固定して作製した。泡消え性については次式で示す泡量変化率から求め、合計４００ｍｌ添加時に３０％以下になったものを合格とした。
泡量変化率（％）＝（硬水合計４００ｍＬ添加後の泡量／初期の泡量）×１００
【００５１】
【表１】
0005700553.tif 000003
【００５２】
表１の結果から、実施例の組成物は、洗浄時の起泡力及びすすぎ時の泡消え性で優れていることが分かる。